(57)【要約】【課題】突出位置と退避位置との間で移動可能なガード部材を備えたロータリカッターナイフの安全性をさらに高める。【解決手段】ガード部材３０ａ、３０ｂを２つに分割して、互いに独立して移動可能とする。各ガード部材３０ａ、３０ｂは、外端縁３１ａがロータリーブレード２０の外周エッジ２１を超えて突出する突出位置と、外端縁３１ａが後退してロータリーブレード２０の外周エッジ２１を露出させる退避位置との間を移動する。切断作業に供されることのない領域ではロータリーブレードのエッジ２１が外部に露出することがなく、切断に必要な限られた領域においてのみエッジ２１が露出するため、安全性が非常に高い。【選択図】図３
2008200409.tif 000002
【特許請求の範囲】
【請求項１】
カッターナイフ本体（１１）に支持されたロータリーブレード（２０）と、
カッターナイフ本体（１１）に支持されていて、外端縁（３１ａ、３１ｂ）がロータリーブレード（２０）の外周エッジ（２１）を超えて突出する突出位置と、外端縁（３１ａ、３１ｂ）が後退してロータリーブレード（２０）の外周エッジ（２１）を露出させる退避位置と、の間で移動可能なガード部材（３０ａ、３０ｂ）と、を備えたカッターナイフであって、
上記ガード部材（３０ａ、３０ｂ）は、２つに分割されていて、互いに独立して、突出位置と退避位置との間で移動可能であることを特徴とする、カッターナイフ。
【請求項２】
上記ガード部材は、ロータリーブレード（２０）の中心を通り、かつ突出位置と退避位置とを結ぶ方向に延在する線（Ａ）に沿って、２つに分割されていることを特徴とする、請求項１記載のカッターナイフ。
【発明の詳細な説明】
【技術分野】
【０００１】
本発明は、円形ブレードを使用するロータリーカッターナイフに関する。さらに詳しくは、円形ブレードのエッジを超えて突出することで安全性を高めるガード部材を備えたロータリーカッターナイフに関する。
【背景技術】
【０００２】
円形ブレードを使用して布地等を切断するロータリーカッターナイフにおいて、非使用時の安全性を高めるためのガード部材を備えたものが
【特許文献１】に開示されている。このロータリーカッターナイフを図１に示した。
【０００３】
図１（ａ）では、ガード部材８０は、カッターナイフ本体６０側に退避していて、ロータリーブレード７０のエッジ７１が露出している。この状態で、使用者は、グリップ（カッターナイフ本体）６０を握って、布地等を切断する。
図１（ｂ）は、カッターナイフの非使用状態を示している。すなわち、ガード部材８０は、ロータリーブレード７０のエッジ７１を超えて突出し、切断不可能な状態とすることで安全性を高めている。
【０００４】
【特許文献２】意匠登録第１０９０６６３号公報
【発明の開示】
【発明が解決しようとする課題】
【０００５】
本発明の目的は、上記のようなガード部材を備えたカッターナイフにおいて、その安全性をさらに高めることである。
【課題を解決するための手段】
【０００６】
本発明のカッターナイフは、「カッターナイフ本体に支持されたロータリーブレード」と「カッターナイフ本体に支持されていて、外端縁がロータリーブレードの外周エッジを超えて突出する突出位置と、外端縁が後退してロータリーブレードの外周エッジを露出させる退避位置と、の間で移動可能なガード部材」とを備える。
ガード部材は、２つに分割されていて、互いに独立して、突出位置と退避位置との間で移動可能である。
【発明の効果】
【０００７】
上記構成を備えた本発明のカッターナイフにおいては、いずれか一方のみのガード部材を退避させ、他方のガード部材は突出させることにより、切断作業に供されることのない領域ではロータリーブレードのエッジが外部に露出することがなく、切断に必要な限られた領域においてのみエッジが露出するため、安全性が非常に高い。
【発明を実施するための最良の形態】
【０００８】
本発明の実施形態を添付の図面を参照して以下に詳細に説明する。図２は、本発明の一実施形態に係るカッターナイフ１０を示す正面図である。
カッターナイフ１０は、全体がグリップ部を構成する細長いカッターナイフ本体１１の一端にロータリーブレード２０を保持している。ロータリーブレード２０は、支柱部材２５を中心として回動可能に保持されている。
【０００９】
カッターナイフ１０は、互いに独立して操作可能な２つのガード部材３０ａ、３０ｂを備える。２つのガード部材３０ａ、３０ｂは、図１に示した従来のカッターナイフにおけるガード部材８０を縦方向に２つに分割するように構成している。
【００１０】
両ガード部材３０ａ、３０ｂは、分割された別個の部材であって、それぞれ、スライドノブ３２ａ、３２ｂを操作することで、突出位置と退避位置との間を移動する。スライドノブ３２ａ、３２ｂは、それぞれ、カッターナイフ本体１１に設けた開口１５、１６を通して外部に露出している。
【００１１】
≪上方のガード部材のみを突出させる場合≫
図３は、上方のガード部材３０ａのみを突出させた状態を示している。この突出位置においては、ガード部材３０ａの外端縁３１ａがロータリーブレードの外周エッジ２１を超えて突出している。つまり、図３中下方側に露出するエッジ部分のみが切断機能を果たせる状態となっている。
一方、下側のガード部材３０ｂは、カッターナイフ本体１１内に退避している。この退避位置では、ガード部材３０ｂの外端縁３１ｂ（図４参照）が後退して、ロータリーブレード２０の外周エッジ２１を露出させている。
【００１２】
このとき、ユーザーは、図５に示したように、右手でカッターナイフ１０を持って切断作業を行う。図５から分かるように、実際に切断対象（布地等）に接する限られた領域においてのみエッジ２１が外部に露出しており、切断作業に供されることのない上方領域においては、エッジがガードされている。
これに対して、図１に示した従来例では、この上方領域においてもエッジが外部に露出する。本発明では、上記のように、切断作業に供されることのない領域においては、エッジが外部に露出しないよう構成することで、安全性をさらに高めている。
【００１３】
≪下方のガード部材のみを突出させる場合≫
図４は、図３とは逆に、下側のガード部材３０ｂが突出位置にあり、上側のガード部材３０ａが退避位置にある状態を示している。すなわち、下側のガード部材３０ｂの外端縁３１ｂがロータリーブレードの外周エッジ２１を超えて突出し、上側のガード部材３０ａの外端縁３１ａ（図３参照）が後退して、ロータリーブレード２０の外周エッジ２１を露出させている。
このとき、ユーザーは、図６に示したように、左手でカッターナイフ１０を持って切断作業を行う。この場合も、上記と同様に、切断作業に供されることのない領域ではエッジが外部に露出しないので、高い安全性を確保できる。
【００１４】
≪不使用時≫
カッターナイフを使用しない場合には、図２に示したように、両方のガード部材３０ａ、３０ｂは、ともに突出位置に保持しておく。各ガード部材３０ａ、３０ｂは、弾性変形を利用する等、従来から知られている適宜の保持機構により、突出位置および退避位置に係止できるよう構成することが好ましい。
【００１５】
図示した実施形態においては、２つのガード部材３０ａ、３０ｂは、図２中の分割線Ａに沿って分割している。この分割線Ａは、ロータリーブレード２０の中心を通り、かつ突出位置と退避位置とを結ぶ方向に延在している。
ただし、ガード部材を２つに分割する分割ラインは、図示のものに限られず、適宜設定することができる。
【図面の簡単な説明】
【００１６】
【図１】従来のカッターナイフを説明する図。
【図２】本発明の一実施形態に係るカッターナイフを説明する正面図。
【図３】図１のカッターナイフにおいて、上方側のガード部材のみを突出させた状態を示す正面図。
【図４】図１のカッターナイフにおいて、下方側のガード部材のみを突出させた状態を示す正面図。
【図５】図３の状態にあるカッターナイフの使用状態を示す図。
【図６】図４の状態にあるカッターナイフの使用状態を示す図。
【符号の説明】
【００１７】
１０  カッターナイフ
１１  カッターナイフ本体
１５、１６  開口
２０  ロータリーブレード
２１  エッジ
２５  支柱部材
３０ａ、３０ｂ  ガード部材
３１ａ、３１ｂ  ガード部材の外周縁
３２ａ、３２ｂ  スライドノブ
Ａ  分割線
６０  カッターナイフ本体
７０  ロータリーブレード
７１  エッジ
８０  ガード部材
【図１】
2008200409.tif 000003
【図２】
2008200409.tif 000004
【図３】
2008200409.tif 000005
【図４】
2008200409.tif 000006
【図５】
2008200409.tif 000007
【図６】
2008200409.tif 000008